(57)【特許請求の範囲】
【請求項１】
重ね合された一対の柔軟性を有する樹脂製シート材料からなる前面袋シート及び後面袋シートの周囲を相互に固定し密閉した内部に内容物収納部を形成するとともに、前記周囲の一端近傍部位に前記相互に対面する前面及び後面袋シートの双方を切り取って前記内容物収納部を容易に開封させる初期開封機構を有する包装用袋であって、
前記初期開封機構は、前記前面及び後面袋シートの幅方向の全幅に亘って内面又は外面に対向して設けられ、それぞれ切裂き容易な適宜深さの凹溝状の直線、折れ線、曲線又は山谷を有する波線が形成された第１開封線及び第２開封線からなり、
前記第１及び第２開封線は、前記前面及び後面袋シートの内面又は外面の面内方向に相互に離隔する部分が存在するように投影される状態に前記第１及び第２開封線に沿って配置し固着され、電源線に接続された、前記袋シートの幅より僅かに長い一対の第１ヒーター線及び第２ヒーター線を直接又は前記前面及び後面袋シートを介して押圧手段によりサンドウィッチ状に挟むように同時に押圧しながら、前記電源線に所定時間通電して加熱された第１及び第２ヒーター線に沿って当接した前面及び後面袋シートの内面被加熱部分がそれぞれ軟化して切裂き容易な深さの凹溝状に同時に刻印され、前記袋シートの幅方向の全幅に亘って形成され、
前記袋シートの端部に別途切込み又はノッチを設けることなく前記第１及び第２開封線から容易に切り裂かれることを特徴とする初期開封容易な包装用袋。
【請求項２】
前記第１及び第２開封線は、前記前面及び後面袋シート面内方向に片端側部分が共に略重なり、他端側部分が相互に離隔して投影される配置状態に形成されることを特徴とする請求項１記載の初期開封容易な包装用袋。
【請求項３】
前記第１及び第２開封線は、前記前面及び後面袋シート面内方向に両端側部分が相互に離隔して投影される配置状態に形成されることを特徴とする請求項１記載の初期開封容易な包装用袋。
【請求項４】
前記第１及び第２開封線は、前記前面及び後面袋シート面内方向に両端側部分が共に略重なり、その中間部に相互に離隔する部分が存在するように投影される配置状態に形成されることを特徴とする請求項１記載の初期開封容易な包装用袋。
【請求項５】
前記第１及び第２開封線からなる初期開封機構と前記内容物収納部との間に開封自在な係止手段又はシール手段が設けられることを特徴とする請求項１乃至請求項４のいずれか１項記載の初期開封容易な包装用袋。
【請求項６】
一対の柔軟性を有する樹脂製シート材料からなる前面袋シート及び後面袋シートを重ね合せ、周囲を相互に固定し密閉した内部に内容物収納部を形成するとともに、前記周囲の一端近傍部位に相互に対面する前記前面及び後面袋シートの双方を切り取って前記内容物収納部を容易に開封させる初期開封機構を有する包装用袋の製造方法において、
いずれも前記前面及び後面袋シートの幅より僅かに広い幅を有する、電気絶縁材料からなる略矩形板状部材の表裏面にそれぞれ幅方向に亘って背面対向するように配置して電源線に接続された一対の任意断面形の直線、折れ線、曲線又は山谷を有する波線状に形成された第１ヒーター線及び第２ヒーター線を固着して設けた初期開封機構形成手段本体と、１対の板状部材からなる押圧手段と、を備えた初期開封機構形成手段を用いて、
前記初期開封機構形成手段本体をサンドウィッチ状に挟むように配置して長手方向に連続的に供給される１対の前面袋シートと後面袋シートの両外面を、さらに前記押圧手段の１対の板状部材の間にサンドウィッチ状に挟むように重ね合せる初期開封機構形成手段重ね合せ工程と、
前記押圧手段で前記前面及び後面袋シートの両外面を押圧しながら、前記電源線に所定時間通電して加熱された第１及び第２ヒーター線に沿って当接した前面及び後面袋シートの内面被加熱部分がそれぞれ軟化して切裂き容易な深さの凹溝状の直線、折れ線、曲線又は山谷を有する波線が刻印された１対の第１開封線及び第２開封線からなる初期開封機構を同時に形成する初期開封機構形成工程と、
前記初期開封機構が形成された一対の前面及び後面袋シートの周囲を相互に固定して密閉した内部に内容物収納部を形成する内容物収納部形成工程と、を有し、
前記１対の第１及び第２開封線は、前記前面及び後面袋シート面内方向に相互に離隔する部分が存在するように投影される配置状態に、前記袋シートの幅方向の全幅に亘って形成され、
前記袋シートの端部に別途切込みやノッチを設けることなく前記第１及び第２開封線から容易に切り裂かれることを特徴とする初期開封容易な包装用袋の製造方法。
【請求項７】
一対の柔軟性を有する樹脂製シート材料からなる前面袋シート及び後面袋シートを重ね合せ、周囲を相互に固定し密閉して内部に内容物収納部を形成するとともに、前記周囲の一端近傍部位に相互に対面する前記前面及び後面袋シートの双方を切り取って前記内容物収納部を容易に開封させる初期開封機構を有する包装用袋の製造方法において、
いずれも前記前面及び後面袋シートの幅より僅かに広い幅を有する、略矩形板状部材からなる当て板と、電気絶縁材料からなる一対の略矩形板状部材の内面にそれぞれ幅方向に亘って対向するように配置して電源線に接続された一対の任意断面形の直線、折れ線、曲線又は山谷を有する波線状に形成された第１ヒーター線及び第２ヒーター線を固着して設けた一対の第１押圧板及び第２押圧板からなる初期開封機構形成手段本体と、を備えた初期開封機構形成手段を用いて、
前記当て板をサンドウィッチ状に挟むように配置されて長手方向に連続的に供給される１対の前面袋シート及び後面袋シートの両外面を、さらに前記初期開封機構形成手段本体の第１押圧板及び第２押圧板の間にサンドウィッチ状に挟むように重ね合せる初期開封機構形成手段重ね合せ工程と、
前記第１及び第２押圧板で前記前面及び後面袋シートの両外面を押圧しながら、前記電源線に所定時間通電して加熱された第１及び第２ヒーター線に沿って当接した前面及び後面袋シートの外面被加熱部分がそれぞれ軟化して切裂き容易な深さの凹溝状の直線、折れ線、曲線又は山谷を有する波線が刻印された１対の第１開封線及び第２開封線からなる開封機構を同時に形成する初期開封機構形成工程と、
前記初期開封機構が形成された一対の前面及び後面袋シートの周囲を相互に固定して密閉した内部に内容物収納部を形成する内容物収納部形成工程と、を有し、
前記１対の第１及び第２開封線は、前記前面及び後面袋シート面内方向に相互に離隔する部分が存在するように投影される配置状態に、前記袋シートの幅方向の全幅に亘って形成され、
前記袋シートの端部に別途切込みやノッチを設けることなく前記第１及び第２開封線から容易に切り裂かれる形成されることを特徴とする初期開封容易な包装用袋の製造方法。
【請求項８】
前記第１及び第２開封線からなる初期開封機構と前記内容物収納部との間に開封自在な係止手段又はシール手段を設ける係止手段又はシール手段形成工程をさらに有することを特徴とする請求項６又は請求項７記載の初期開封容易な包装用袋の製造方法。
【請求項９】
前記前面及び後面袋シートの周囲の連続する固定部を二分するように切断して個別の包装用袋を順次形成する分断工程をさらに有することを特徴とする請求項６乃至請求項８のいずれか１項記載の初期開封容易な包装用袋の製造方法。
【発明の詳細な説明】
【技術分野】
【０００１】
本発明は、主に反復して開封するチャックなどの係止手段付き又は係止手段無しの包装用袋に関し、特に初期開封容易な包装用袋及びその製造方法に関する。
【背景技術】
【０００２】
従来、保存及び流通のために密封された袋は、その内側にチャックなどの係止手段を取り付けて内側の密閉空間を二つに分け、一方の袋空間には食品等を収納し、もう一方の袋空間の外側縁には切欠き部分などの初期開封手段を有する構造になっており、ヒートシールされた完全密封の袋に収納した食品等を利用者が反復して開封し取り出すようになっている。
【０００３】
この場合、手で開封して袋から内容物を取り出すため、一般に袋の融着部（ヒートシール部）に切込み又は切欠き等が形成され、この切込み又は切欠きを始端として初期開封され、次に係止手段を反復開封して食品が取り出される。
【０００４】
しかし、初期開封を行う際、袋を構成する２枚のシートの切裂き線が同じ筋道を辿ることが多く、また融着部を切除した後の挾持部分となる係止手段の上方余部は上下巾が極めて狭くかつ互いに静電気等で密着していることもあり、摘むために２枚のシートを分けるとともに前後に間隔を広げて摘み易くすることが至難となっていることから、係止手段を開封する際に開口部分へ指を入れることが困難になり、容易に袋を開封できないという問題があった。
【０００５】
このような問題を改善するため、包装用袋の初期開封の際に、２枚のシートの摘み部分の分け広げを容易化し、表裏面を指先で容易に摘め、開封操作を楽に行える包装用袋として最近提案されている代表的な次の６つの例がある。
【０００６】
図１０の（ａ）は従来の第１例の包装用袋の概念を示す要部正面図、（ｂ）はその初期開封状態を示す説明図、図１１の（ａ）は従来の第２例の包装用袋の概念を示す正面図、（ｂ）はその初期開封後の状態を示す正面図、図１２の（ａ）は従来の第３例の包装用袋の概念を示す展開図、（ｂ）はその初期開封後の状態を示す正面図、図１３の（ａ）は従来の第４例の包装用袋の概念を示す要部正面図、（ｂ）はその初期開封後の要部縦断面図、図１４の（ａ）は従来の第５例の包装用袋の概念を示す正面図、（ｂ）はその初期開封後の縦断面図、図１５の（ａ）は従来の第６例の包装用袋の概念を示す鳥瞰図、（ｂ）はその初期開封後の状態を示す鳥瞰図である。
【０００７】
第１例の包装用袋１１４は、図１０に示すように、紙層を有する積層フィルム１１０の少なくとも紙層に、開封方向に沿って少なくとも１列に配列した開封用引裂き部１１１を形成し開封容易であって、開封用引裂き部１１１が逆勾配の線状切込み１１１ａ、１１１ｂを交互に配列し、一つの線状切込みの延長線が次の線状切込み線上に当たるように形成したものから構成されている（特許文献１参照）。
【０００８】
第２例の包装用袋２０１は、図１１に示すように、重ね合わされた一対の柔軟性を有する樹脂製シート状構成材料２０２、２０３の周囲を互いに固定して（固定部２１３）内部を内容物収納部２０４とするとともに、内容物収納部２０４を密閉して構成され、周囲の一部に、互いに対面する一対のシート状構成材料２０２、２０３の双方を切り取って内容物収納部２０４を開封させる切取り予定部２０５、２０６を有し、一方の袋シートの内側に凸条を有する雄テープと他方の袋シートの内側に設けられて前記凸条を嵌め込む凹溝を有する雌テープとからなるファスナー２１０を、切取り予定部２０５、２０６の下方に具備し再封可能であって、切取り予定部２０５、２０６それぞれは、シート状構成材料２０２、２０３を貫通しない複数の切れ目２１４が多行の帯状に配列してシート状構成材料２０２、２０３の幅方向に亘り設けられ、一方の切取り予定部２０５は直線状に形成され、他方の切取り予定部２０６は一方の切取り予定部２０５と重ならない曲がり部分２１５と一方の切取り予定部２０５に重なる直線部分２１６とが連続してなる構成である（特許文献２参照）。
【０００９】
第３例の包装用袋３１０は、図１２に示すように、矩形状の積層構造を有する複合包装材３１８を２枚重ね合せてそれぞれの外縁部を圧着加工等によりシールした四方シールの形態を有し、対向する一対の面の一方の第一面３１０Ａに設けられた開封用の第一弱め線３２０と、他方の第二面１０Ｂに設けられた開封用の第二弱め線３３０とを有し、第一弱め線３２０が、第二弱め線３３０に対して垂直方向にずれ間隔Ｗ３２０−３３０を有して配置され、内部には初期開封後にできる開封口を開閉するためのプラスチックファスナー３４０（係止手段）が第一弱め線３２０に平行にかつ第一弱め線３２０の下方側に設けられた構成である（特許文献３参照）。
【００１０】
第４例の包装用袋４０１は、図１３に示すように、合成樹脂フィルム製であって、開口部に着脱可能な係止手段４０３を形成し、上端部を融着部４０２として密閉し、開封時に係止手段４０３と融着部４０２の間に形成した切裂用切欠口４０９を利用して切裂して融着部４０２を切除し、係止手段４０３によって開閉自在と成し、表裏面４０６、４０４のいずれか一面のフィルムに切裂用切欠口４０９から連続して斜め下方に進み、下端部が横方向へ向いた切込みガイド４１０を、係止手段４０３の上方位置に設けた構成である（特許文献４参照）。
【００１１】
第５例の包装用袋は、図１４に示すように、シート５０１の縁部分５０３を接着し内部に食品等５０６を収容して作成した袋の内側にチャックシール５０２を取り付けるとともに、縁部分５０３に設けた切欠き部５０４からシート５０１を引き裂いた時の切り口から外側に飛び出すように山部と谷部が連続した形状のタグシート５０５をシート５０１の内側又はチャックシール５０２に取り付けた構成である（特許文献５参照）。
【００１２】
第６例の包装用袋６０１は、図１５に示すように、２枚のプラスチックフィルムから構成され、１枚のフィルムの開封される方向に障害物６０４を設置し、プラスチックフィルムを手で破り切り取ると障害物６０４のあるフィルムはその存在に妨げられて図に示すＡからＢに至る線の通りの形に、他のフィルムは妨げられるものが無いので直線的なＡからＣに至る線の通りの形に切り裂かれ、両者の間に広い間隙が生じるので容易にチャック６０３を開けることが可能な構成である（特許文献６参照）。
【００１３】
前記第１例乃至第６例の包装用袋は、いずれも初期開封の際に、２枚のシートの摘み部分の分け広げが簡単になり、表裏面を指先で摘んで係止手段の開封操作を容易化する効果が期待できるものである。
【先行技術文献】
【特許文献】
【００１４】
【特許文献１】特開平８−２６８４６７号公報
【特許文献２】特開２００１−９７３９６号公報
【特許文献３】特開２００１−１５１２４６公報
【特許文献４】特開２００１−３２２６５２公報
【特許文献５】特開２００５−２４７４１７公報
【特許文献６】特開２００７−３９１２２公報
【発明の概要】
【発明が解決しようとする課題】
【００１５】
しかしながら、第１例（特許文献１）の包装用袋１１４は、多数の逆勾配の直線状切込み１１１ａ、１１１ｂを交互に配列し、一つの直線状切込み１１１ａの延長線が次の直線状切込み１１１ｂの線上に当たるように形成されたもの（あるいはソ字形切込みを多数連続的に配列したもの又は杉綾模様状のもの）からなる複雑な形状を有する開封用引裂き部１１１の袋の片面又は両面への加工が煩雑で製造コストが高くなるとともに、引裂き後の両面が互いに静電気等で密着して摘むために２枚のシートを分け前後に間隔を広げて摘み難く、容易に袋を開封できないことがあり得るという問題点がある。
【００１６】
また、第２例（特許文献２）の包装用袋２０１は、一方の開口予定部２０６における曲がり部分の位置で両シート状構成材料の開口部側端部に高低差が生じることから高くなっている方の開口部側端部を指掛かりの位置として摘み持つことができ、仮に両シート状構成材料の開口部側端部相互が密着していた状態であってもその間を容易に開くことができように改善されてはいるものの、外面側からシート状構成材自体を貫通しない複数の切れ目２１４を上下幅に多行に配列した直線及び曲線状の帯状に形成された、第１例よりも複雑な形状を有する切取り予定部２０５、２０６の袋両面への加工がさらに煩雑で、製造コストが高くなるという問題点がある。
【００１７】
また、第３例（特許文献３）の包装用袋３０１は、第一弱め線３２０が、第二弱め線３３０に対して垂直方向にずれ間隔Ｗ３２０−３３０を有して配置されていることにより、開封後の引裂き線Ｌ３２０、Ｌ３３０からなる開封口３６０において適度な摘み部分が形成されることから、この摘み部分を容易に指先で摘むことが可能となり、開封作業を容易に行えるものの、それぞれ上方から平行に３本形成された集合体で、第１例よりも複雑な形状を有する第一及び第二弱め線３２０（３２２、３２４、３２６からなる）、３３０（３３２、３３４、３３６からなる）の袋両面への加工がさらに煩雑で、製造コストが高くなるという問題点がある。
【００１８】
また、第４例（特許文献４）の包装用袋４０１は、切裂用切欠口４０９は側端から三角形状に切り取られ、中央側頂角イを基点として横巾方向へ切り裂け、さらに、中央側頂角イから表面４０６のフィルムに連続して斜め下方（係止手段４０３の方）へ進んで先端部４１０Ａが横方向へ向いた切込みガイド４１０が形成されていることから、横巾方向へ切り裂く力を加えると、裏面４０４のフィルムは従来通り横一直線に切裂線４１１が入り、表面４０６のフィルムは切込みガイド４１０に沿って切裂し、次に先端部４１０Ａにガイドされて横方向へ切裂線４１２が入り、結局、表面４０６のフィルムは裏面４０４のフィルムより低い、互いに上・下段違いの位置で切れた取出し口４１３となるため、容易に表裏面を分け広げて指先で摘んで開封することができるものの、片面に切込みガイド４１０を有する切裂用切欠口４０９の形状が複雑で加工がコスト高になるという問題点がある。
【００１９】
また、第５例（特許文献５）の包装用袋は、切欠き部５０４からシート５０１を引裂いて開封すると同時に外側に飛び出てくるタグシート５０５を利用者が摘むことにより、以後の反復的なチャックの開封を容易に行うことが可能になるものの、縁部分５０３に切欠き部５０４を設けるとともに、シート５０１の内側又はチャックシール５０２に山部と谷部が連続した形状の本来不要なタグシート５０５を余分に取付けた複雑な構成で、製造コストが高くなるという問題点がある。
【００２０】
さらに、第６例（特許文献６）の包装用袋６０１は、２枚のプラスチックフィルムの切り裂け口は、１枚のフィルムの開封される方向に設けられた障害物６０４により、それぞれ図１１（ｂ）のＡからＢに至る線とＡからＣに至る線の通りとなり両者の間には段差が生じて広い間隔が発生するので、その間隔に指先等を挿入するか、片方を押さえて他方を引き出す等の手段で容易かつ迅速にチャックされた開閉口縁部６０３を開封することができるものの、縁部分に切欠き部６０２を設けるとともに、１枚のフィルムに本来不要な障害物６０４を余分に設けた複雑な構成で、製造コストが高くなるという問題点がある。
【００２１】
そこで、本発明は、上記従来技術の問題点に鑑みてなされたものであり、本発明の目的は、簡潔な自由度のある構成で、低コストで製造でき、包装用袋の初期開封の際に、２枚のシートの摘み部分の分け広げが簡単にできて表裏面を指先で摘んで開封操作を楽に行える初期開封容易な包装用袋及びその製造方法を提供することにある。
【課題を解決するための手段】
【００２２】
上記目的を達成するため、請求項１の発明の初期開封容易な包装用袋は、重ね合された一対の柔軟性を有する樹脂製シート材料からなる前面袋シート及び後面袋シートの周囲を相互に固定し密閉した内部に内容物収納部を形成するとともに、前記周囲の一端近傍部位に前記相互に対面する前面及び後面袋シートの双方を切り取って前記内容物収納部を容易に開封させる初期開封機構を有する包装用袋であって、前記初期開封機構は、前記前面及び後面袋シートの幅方向の全幅に亘って内面又は外面に対向して設けられ、それぞれ切裂き容易な適宜深さの凹溝状の直線、折れ線、曲線又は山谷を有する波線が形成された第１開封線及び第２開封線からなり、前記第１及び第２開封線は、前記前面及び後面袋シートの内面又は外面の面内方向に相互に離隔する部分が存在するように投影される状態に前記第１及び第２開封線に沿って配置し固着され、電源線に接続された、前記袋シートの幅より僅かに長い一対の第１ヒーター線及び第２ヒーター線を直接又は前記前面及び後面袋シートを介して押圧手段によりサンドウィッチ状に挟むように同時に押圧しながら、前記電源線に所定時間通電して加熱された第１及び第２ヒーター線に沿って当接した前面及び後面袋シートの内面被加熱部分がそれぞれ軟化して切裂き容易な深さの凹溝状に同時に刻印され、前記袋シートの幅方向の全幅に亘って形成され、前記袋シートの端部に別途切込みやノッチを設けることなく前記第１及び第２開封線から容易に切り裂かれることを特徴とする。
【００２３】
請求項２の発明は、請求項１記載の初期開封容易な包装用袋であって、前記第１及び第２開封線は、前記前面及び後面袋シート面内方向に片端側部分が共に略重なり、他端側部分が相互に離隔して投影される配置状態に形成されることを特徴とする。
【００２４】
請求項３の発明は、請求項１記載の初期開封容易な包装用袋であって、前記第１及び第２開封線は、前記前面及び後面袋シート面内方向に両端側部分が相互に離隔して投影される配置状態に形成されることを特徴とする。
【００２５】
請求項４の発明は、請求項１記載の初期開封容易な包装用袋であって、前記第１及び第２開封線は、前記前面及び後面袋シート面内方向に両端側部分が共に略重なり、その中間部に相互に離隔する部分が存在するように投影される配置状態に形成されることを特徴とする。
【００２６】
請求項５の発明は、請求項１乃至請求項４のいずれか１項記載の初期開封容易な包装用袋であって、前記第１及び第２開封線からなる初期開封機構と前記内容物収納部との間に開封自在な係止手段又はシール手段が設けられることを特徴とする。
【００２７】
請求項６の発明の初期開封容易な包装用袋の製造方法は、一対の柔軟性を有する樹脂製シート材料からなる前面袋シート及び後面袋シートを重ね合せ、周囲を相互に固定し密閉した内部に内容物収納部を形成するとともに、前記周囲の一端近傍部位に相互に対面する前記前面及び後面袋シートの双方を切り取って前記内容物収納部を容易に開封させる初期開封機構を有する包装用袋の製造方法において、いずれも前記前面及び後面袋シートの幅より僅かに広い幅を有する、電気絶縁材料からなる略矩形板状部材の表裏面にそれぞれ幅方向に亘って背面対向するように配置して電源線に接続された一対の任意断面形の直線、折れ線、曲線又は山谷を有する波線状に形成された第１ヒーター線及び第２ヒーター線を固着して設けた初期開封機構形成手段本体と、１対の板状部材からなる押圧手段と、を備えた初期開封機構形成手段を用いて、  前記初期開封機構形成手段本体をサンドウィッチ状に挟むように配置して長手方向に連続的に供給される１対の前面袋シートと後面袋シートの両外面を、さらに前記押圧手段の１対の板状部材の間にサンドウィッチ状に挟むように重ね合せる初期開封機構形成手段重ね合せ工程と、  前記押圧手段で前記前面及び後面袋シートの両外面を押圧しながら、前記電源線に所定時間通電して加熱された第１及び第２ヒーター線に沿って当接した前面及び後面袋シートの内面被加熱部分がそれぞれ軟化して切裂き容易な深さの凹溝状の直線、折れ線、曲線又は山谷を有する波線が刻印された１対の第１開封線及び第２開封線からなる初期開封機構を同時に形成する初期開封機構形成工程と、  前記初期開封機構が形成された一対の前面及び後面袋シートの周囲を相互に固定して密閉した内部に内容物収納部を形成する内容物収納部形成工程と、を有し、
前記１対の第１及び第２開封線は、前記前面及び後面袋シート面内方向に相互に離隔する部分が存在するように投影される配置状態に、前記袋シートの幅方向の全幅に亘って形成され、前記袋シートの端部に別途切込みやノッチを設けることなく前記第１及び第２開封線から容易に切り裂かれることを特徴とする。
【００２８】
請求項７の発明の初期開封容易な包装用袋の製造方法は、一対の柔軟性を有する樹脂製シート材料からなる前面袋シート及び後面袋シートを重ね合せ、周囲を相互に固定し密閉して内部に内容物収納部を形成するとともに、前記周囲の一端近傍部位に相互に対面する前記前面及び後面袋シートの双方を切り取って前記内容物収納部を容易に開封させる初期開封機構を有する包装用袋の製造方法において、いずれも前記前面及び後面袋シートの幅より僅かに広い幅を有する、略矩形板状部材からなる当て板と、電気絶縁材料からなる一対の略矩形板状部材の内面にそれぞれ幅方向に亘って対向するように配置して電源線に接続された一対の任意断面形の直線、折れ線、曲線又は山谷を有する波線状に形成された第１ヒーター線及び第２ヒーター線を固着して設けた一対の第１押圧板及び第２押圧板からなる初期開封機構形成手段本体と、を備えた初期開封機構形成手段を用いて、前記当て板をサンドウィッチ状に挟むように配置されて長手方向に連続的に供給される１対の前面袋シート及び後面袋シートの両外面を、さらに前記初期開封機構形成手段本体の第１押圧板及び第２押圧板の間にサンドウィッチ状に挟むように重ね合せる初期開封機構形成手段重ね合せ工程と、前記第１及び第２押圧板で前記前面及び後面袋シートの両外面を押圧しながら、前記電源線に所定時間通電して加熱された第１及び第２ヒーター線に沿って当接した前面及び後面袋シートの外面被加熱部分がそれぞれ軟化して切裂き容易な深さの凹溝状の直線、折れ線、曲線又は山谷を有する波線が刻印された１対の第１開封線及び第２開封線からなる開封機構を同時に形成する初期開封機構形成工程と、前記初期開封機構が形成された一対の前面及び後面袋シートの周囲を相互に固定して密閉した内部に内容物収納部を形成する内容物収納部形成工程と、を有し、前記１対の第１及び第２開封線は、前記前面及び後面袋シート面内方向に相互に離隔する部分が存在するように投影される配置状態に、前記袋シートの幅方向の全幅に亘って形成され、前記袋シートの端部に別途切込みやノッチを設けることなく前記第１及び第２開封線から容易に切り裂かれる形成されることを特徴とする。
【００２９】
請求項８の発明は、請求項６又は請求項７記載の初期開封容易な包装用袋の製造方法であって、前記第１及び第２開封線からなる初期開封機構と前記内容物収納部との間に開封自在な係止手段又はシール手段を設ける係止手段又はシール手段形成工程をさらに有することを特徴とする。
【００３０】
請求項９の発明は、請求項６乃至請求項８のいずれか１項記載の初期開封容易な包装用袋の製造方法であって、前記前面及び後面袋シートの周囲の連続する固定部を二分するように切断して個別の包装用袋を順次形成する分断工程をさらに有することを特徴とする。
【発明の効果】
【００３１】
請求項１の発明によれば、包装用袋の前面及び後面袋シートの幅方向に亘ってそれぞれ切裂き容易な適宜深さの凹溝状の直線、折れ線、曲線又は山谷を有する波線が形成された第１開封線及び第２開封線（初期開封機構）が内面又は外面に対向して設けられ、前面及び後面袋シート面内方向に相互に離隔する部分が存在するように形成されることから、従来のような袋端部に別途切込みを設けるなどの煩雑な構成でなく、簡潔な自由度のある任意の２次元形状の構成によるシート厚が薄い凹溝状の第１又は／及び第２開封線部を容易に引き裂くことができるとともに、破断後の相互にシート面方向に離隔する第１及び第２開封線の段差部分の片方を押さえて他方を引き出すか又は指先等を挿入する等の手段で容易かつ迅速に包装用袋の内容物収納部を開封することができる。
【００３２】
請求項２の発明によれば、請求項１の発明と同様な効果を有するのに加えて、第１及び第２開封線は、前面及び後面袋シート面内方向に片端側部分が共に略重なり、他端側部分が相互に離隔して形成されることから、第１及び第２開封線部の重なり合う片端側部分から前面及び後面袋シートを同時に容易に引き裂くことができるとともに、破断後の他端側部分の相互にシート面方向に離隔する第１及び第２開封線の段差部の片方を押さえて他方を引き出すか又は指先等を挿入する等の手段で容易かつ迅速に包装用袋の内容物収納部を開封することができるなど利便性が向上する。
【００３３】
請求項３の発明によれば、請求項１の発明と同様な効果を有するのに加えて、第１及び第２開封線は、前面及び後面袋シート面内方向に両端側部分が相互に離隔して形成されることから、破断後の両端側部分のいずれかの離隔する第１及び第２開封線の段差部の片方を押さえて他方を引き出すか又は指先等を挿入する等の手段で容易かつ迅速に包装用袋の内容物収納部を開封することができるなど利便性が向上する。
【００３４】
請求項４の発明によれば、請求項１の発明と同様な効果を有するのに加えて、第１及び第２開封線は、前面及び後面袋シート面内方向に両端側部分が共に略重なり、その中間部に相互に離隔する部分が存在する配置状態に形成されることから、第１及び第２開封線部の重なり合う両端側部分のいずれかからも前面及び後面袋シートを同時に容易に引き裂くことができるとともに、破断後の中間部の相互にシート面方向に離隔する第１及び第２開封線の段差部の片方を押さえて他方を引き出すか又は指先等を挿入する等の手段で容易かつ迅速に包装用袋の内容物収納部を開封することができるなど利便性がさらに向上する。
【００３５】
請求項５の発明によれば、請求項１乃至請求項４のいずれか１項の発明と同様な効果を有するのに加えて、初期開封機構と前記内容物収納部との間に開封自在な係止手段又はシール手段が設けられることから、初期開封されシート面方向に段差が出来た第１及び第２開封線部を指先で摘んで係止手段又はシール手段の開封を容易に繰り返し行うことができる。
【００３６】
請求項６の発明によれば、電気絶縁材料からなる略矩形板状部材の表裏面に一対の直線、折れ線、曲線又は山谷を有する波線状に形成された第１及び第２ヒーター線を固着して設けた初期開封機構形成手段本体をサンドウィッチ状に挟むように配置して連続的に供給される１対の前面及び後面袋シートの両外面を、さらに前記押圧手段の１対の板状部材の間にサンドウィッチ状に挟むように重ね合せる初期開封機構形成手段重ね合せ工程と、通電して加熱された第１及び第２ヒーター線に当接した前面及び後面袋シートの内面被加熱部分に凹溝状の直線、折れ線、曲線又は山谷を有する波線が刻印された１対の第１及び第２開封線からなる初期開封機構を形成する初期開封機構形成工程と、初期開封機構が形成された一対の前面及び後面袋シートの周囲を相互に固定して密閉した内部に内容物収納部を形成する内容物収納部形成工程と、を有し、前記１対の第１及び第２開封線は、前面及び後面袋シート面内方向に相互に離隔する部分が存在するように投影される配置状態に形成される、請求項１と同様な自由度のある任意の２次元形状の初期開封機構を備えた包装用袋を容易に製造することが可能な製造方法であり、請求項１の発明と全く同様の効果がある。
【００３７】
請求項７の発明によれば、一対の略矩形板状部材の内面にそれぞれ幅方向に亘って対向するように配置された一対の直線、折れ線、曲線又は山谷を有する波線状に形成された第１及び第２ヒーター線を固着して設けた第１及び第２押圧板からなる初期開封機構形成手段本体を、当て板をサンドウィッチ状に挟むように配置された１対の前面及び後面袋シートの両外面に、さらに前記第１及び第２押圧板でサンドウィッチ状に挟むように重ね合せる初期開封機構形成手段重ね合せ工程と、前記第１及び第２押圧板で前面及び後面袋シートの両外面を押圧しながら、適宜時間通電して加熱された第１及び第２ヒーター線に当接した前面及び後面袋シートの外面被加熱部分がそれぞれ軟化して切裂き容易な適宜深さの凹溝状の直線、折れ線、曲線又は山谷を有する波線が刻印された１対の第１開封線及び第２開封線からなる初期開封機構を形成する初期開封機構形成工程と、前記初期開封機構が形成された一対の前面及び後面袋シートの周囲を相互に固定して密閉した内部に内容物収納部を形成する内容物収納部形成工程と、を有し、前記１対の第１及び第２開封線は、前記前面及び後面袋シート面内方向に相互に離隔する部分が存在するように投影される配置状態に形成される、請求項１と同様な自由度のある任意の２次元形状の初期開封機構を備えた包装用袋を容易に製造することが可能な製造方法であり、請求項１の発明と全く同様の効果がある。
【００３８】
請求項８の発明によれば、請求項６又は請求項７の発明と同様な効果を有するのに加えて、初期開封機構と前記内容物収納部との間に開封自在な係止手段又はシール手段を設ける係止手段又はシール手段形成工程をさらに有することから、請求項５の発明と全く同様の効果がある。
【００３９】
請求項９の発明によれば、請求項６乃至請求項８のいずれか１項の発明と同様な効果を有するのに加えて、前記内容物収納部形成工程後、前記前面及び後面袋シートの周囲の連続する固定部を二分するように切断して個別の包装用袋を形成する分断工程をさらに有することから、前記初期開封機構を備えた包装用袋を効率よく大量に製造するすることができる。
【００４０】
このように、本発明によれば、包装用袋の前面及び後面袋シートの幅方向に亘って切裂き容易な適宜深さの凹溝状の直線、折れ線、曲線又は山谷を有する波線が形成されるとともに、シート面方向に相互に離隔して段差を有する自由度のある任意の２次元形状の第１開封線及び第２開封線（初期開封機構）が内面又は外面に対向して設けられる簡潔な構成で、包装用袋の初期開封の際にシート面方向に離隔して段差が出来る第１及び第２開封線部を指先で摘んで内容物収納部の開封操作を容易に繰り返し行える初期開封容易な包装用袋及びその製造方法を提供する効果がある。
【図面の簡単な説明】
【００４１】
【図１】本発明の一実施形態（実施例１）の初期開封容易な包装用袋の概念を示す正面図である。
【図２】図１の包装用袋の展開図である。
【図３】図１の包装用袋の初期開封後の状態を示す正面図である。
【図４】本発明の一実施形態の包装用袋の初期開封機構製造手段の要部概念を示す正面図である。
【図５】図４のＡ−Ａ矢視要部断面図である。
【図６】本発明の変形実施形態の包装用袋の初期開封機構製造手段の要部概念を示す要部縦断面図である。
【図７】本発明の別の実施形態（実施例２）の初期開封容易な包装用袋の概念を示す正面図である。
【図８】本発明のまた別の実施形態（実施例３）の初期開封容易な包装用袋の概念を示す正面図である。
【図９】本発明のさらに別の実施形態（実施例４）の初期開封容易な包装用袋の概念を示す正面図である。
【図１０】（ａ）は従来の第１例の包装用袋の概念を示す要部正面図、（ｂ）は（ａ）の包装用袋の初期開封状態を示す説明図である。
【図１１】（ａ）は従来の第２例の包装用袋の概念を示す正面図、（ｂ）は（ａ）の包装用袋の初期開封後の状態を示す正面図である。
【図１２】（ａ）は従来の第３例の包装用袋の概念を示す展開図、（ｂ）は（ａ）の包装用袋の初期開封後の状態を示す正面図である。
【図１３】（ａ）は従来の第４例の包装用袋の概念を示す要部正面図、（ｂ）は（ａ）の包装用袋の初期開封後の要部縦断面図である。
【図１４】（ａ）は従来の第５例の包装用袋の概念を示す正面図、（ｂ）は（ａ）の包装用袋の初期開封後の縦断面図である。
【図１５】（ａ）は従来の第６例の包装用袋の概念を示す鳥瞰図、（ｂ）は（ａ）の包装用袋の初期開封後の状態を示す鳥瞰図である。
【発明を実施するための形態】
【００４２】
以下、本発明の初期開封容易な包装用袋及びその製造方法を最良に実施するための形態の具体例を、添付図面を参照しながら詳細に説明する。
【実施例１】
【００４３】
図１は本発明の一実施形態（実施例１）の初期開封容易な包装用袋の概念を示す正面図、図２は図１の包装用袋の展開図、図３は図１の包装用袋の初期開封後の状態を示す正面図である。
【００４４】
本発明の実施例１の初期開封容易な包装用袋１０は、図１に示すように、重ね合された一対の柔軟性を有する薄膜状の樹脂製シート材料からなる前面袋シート１１Ａ及び後面袋シート１１Ｂ（両者を「袋シート１１」と総称する）と、袋シート１１の周囲が相互に固定された固定部１２と、固定部１２により密閉され内部に形成された内容物収納部１１ａと、固定部１２の一端近傍部位に袋シート１１を切り取って内容物収納部１１ａを開封させる初期開封機構１６と、初期開封機構１６と内容物収納部１１ａとの間に開封自在に設けられた例えばチャックなどの係止手段又はシール手段１３と、から概略構成される。
【００４５】
初期開封機構１６は、前面及び後面袋シート１１Ａ、１１Ｂの幅方向に亘ってそれぞれ切裂き容易な適宜深さの凹溝状の任意の２次元形状線例えば折れ線が形成された第１開封線１４及び第２開封線１５が内面に対向して設けられ、袋シート１１面内方向に相互に離隔する部分（以下、「離隔部」又は「段差部」という）が存在するように第１及び第２開封線１４、１５が投影される配置状態に形成される。
【００４６】
第１及び第２開封線１４、１５は、凹溝状の直線、折れ線、曲線又は山谷を有する波線など任意の２次元形状線に形成することができ、この初期開封機構１６の形成方法及び他の形状の実施例については後述する。
【００４７】
実施例１の第１及び第２開封線１４、１５は、図１の正面図及び図２のＹ軸を基準とする展開図に示すように、袋シート１１面内方向に両端側部分が相互に離隔し、中央部が略重なり合うように投影される配置状態のそれぞれ傾斜線部１４ａ、１５ａ及び略水平線部１４ｂ、１５ｂからなる折れ線状に形成されている。
【００４８】
このように構成された実施例１の包装用袋１０は、人手で初期開封機構１６の図示上方部の切り取り部１１ｂを摘んで引き裂くように力を加えることにより、シート厚が薄くなった凹溝状の初期開封機構１６である第１及び第２開封線１４、１５部が容易に破断し易くなっており、図３に示すように、切り取り部１１ｂを引き裂いた破断後の袋シート１１の両端側部分の離隔するそれぞれ第１及び第２開封線１４、１５の傾斜線部１４ａと略水平線部１５ｂ、傾斜線部１５ａと略水平線部１４ｂから形成される段差部のいずれかの片方を押さえて他方を引き出すか又は指先等を挿入する等の手段で容易かつ迅速に繰り返し係止手段又はシール手段１３を開いて内容物収納部１１ａを開封することができる。
【００４９】
図４は本発明の一実施形態の包装用袋の初期開封機構製造手段の要部概念を示す正面図、図５は図４のＡ−Ａ矢視要部断面図である。
【００５０】
本発明の一実施形態の初期開封機構製造手段は、いずれも袋シート１１の幅より僅かに広い幅を有する、電気絶縁材料からなる略矩形板状部材２１の表裏面にそれぞれ幅方向に亘って背面対向するように配置して両端を電源線２２に端子２２ａを介して接続された一対の任意の２次元形状例えば折れ線状に形成された任意断面形の第１ヒーター線２４及び第２ヒーター線２５が固着して設けられた初期開封機構製造手段本体２０と、１対の板状部材３０Ａ、３０Ｂからなり、サンドウィッチ状に挟むようにして初期開封機構形成手段本体２０の表裏面に重ね合せられた前面及び後面袋シート１１Ａ、１１Ｂの両外面をさらにサンドウィッチ状に挟持して押圧する押圧手段３０と、を備える。
【００５１】
この実施例の１対の第１及び第２ヒーター線２４、２５は、それぞれ傾斜線部２４ａ、２５ａ及び略水平線部２４ｂ、２５ｂからなる折れ線状に形成されているが、折れ線に限らず、直線、曲線又は山谷を有する波線など任意の２次元形状にすることができ、略矩形板状部材２１面内方向に相互に離隔する部分が存在するように投影される配置状態に形成される。
【００５２】
次に、図４、５等を参照し、一実施形態の初期開封機構製造手段を用いて初期開封容易な包装用袋１０を製造する製造方法について、その主要な特徴となる部分を説明する。
【００５３】
まず、初期開封機構形成手段本体２０をサンドウィッチ状に挟むように配置して長手方向に連続的に供給される１対の前面袋シート１１Ａと後面袋シート１１Ｂの両外面を、さらに押圧手段３０の１対の板状部材３０Ａ、３０Ｂの間にサンドウィッチ状に挟むように重ね合せる（初期開封機構形成手段重ね合せ工程）。
【００５４】
引き続き、押圧手段３０で前面及び後面袋シート１１Ａ、１１Ｂの両外面を押圧しながら、電源線２２に適宜時間通電して加熱された第１及び第２ヒーター線２４、２５に沿って当接した前面及び後面袋シート１１Ａ、１１Ｂの内面被加熱部分がそれぞれ軟化して切裂き容易な適宜深さの凹溝状の例えば折れ線が刻印された１対の第１開封線１４及び第２開封線１５からなる初期開封機構１６を形成する（初期開封機構形成工程）。
【００５５】
次いで、初期開封機構１６と内容物収納部１１ａとの間に開封自在なチャックなどの係止手段又はシール手段１３を設ける（係止手段又はシール手段形成工程）。なお、この係止手段又はシール手段形成工程は、公知の方法で行うことができ、前記初期開封機構形成手段重ね合せ工程の前に実施してもよい。
【００５６】
引き続き、初期開封機構１６及び係止手段又はシール手段１３が形成された一対の前面及び後面袋シート１１Ａ、１１Ｂの周囲を相互に固定して密閉した内部に内容物収納部１１ａを形成する（内容物収納部形成工程）。
【００５７】
次いで、前面及び後面袋シート１１Ａ、１１Ｂの周囲の連続する固定部１２を二分するように切断して個別の包装用袋１０を順次形成する（分断工程）。
【００５８】
図６は、本発明の変形実施形態の包装用袋の初期開封機構製造手段の要部概念を示す要部縦断面図である。
【００５９】
この変形実施形態の初期開封機構製造手段は、いずれも袋シート１１の幅より僅かに広い幅を有する、略矩形板状部材からなる当て板４０と、一対の略矩形板状部材の内面にそれぞれ幅方向に亘って対向するように配置して両端を電源線２２に端子２２ａを介して接続された一対の任意断面形の例えば折れ線状に形成された第１ヒーター線２４’及び第２ヒーター線２５’を固着して設けた第１押圧板３１Ａ及び第２押圧板３１Ｂからなる初期開封機構形成手段本体３１と、を備える。
【００６０】
この変形実施形態の１対の第１及び第２ヒーター線２４’、２５’も、前記一実施形態の第１及び第２ヒーター線２４、２５と全く同様に任意の２次元形状にすることができ、第１及び第２押圧板３１Ａ、３１Ｂ面内方向に相互に離隔する部分が存在するように投影される対向配置状態に形成される。
【００６１】
次に、図６を参照し、変形実施形態の初期開封機構製造手段を用いて初期開封容易な包装用袋１０を製造する製造方法について、前記一実施形態と異なる主要な特徴となる部分を説明する。
【００６２】
まず、当て板をサンドウィッチ状に挟むように配置されて長手方向に連続的に供給される１対の前面袋シート１１Ａ及び後面袋シート１１Ｂの両外面を、さらに初期開封機構形成手段本体３１の第１押圧板３１Ａ及び第２押圧板３１Ｂの間にサンドウィッチ状に挟むように重ね合せる（初期開封機構形成手段本体重ね合せ工程）。
【００６３】
引き続き、第１及び第２押圧板３１Ａ、３１Ｂで前面及び後面袋シート１１Ａ、１１Ｂの両外面を押圧しながら、電源線に適宜時間通電して加熱された第１及び第２ヒーター線２４’、２５’に沿って当接した前面及び後面袋シート１１Ａ、１１Ｂの外面被加熱部分がそれぞれ軟化して切裂き容易な適宜深さの凹溝状の例えば折れ線が刻印された１対の第１開封線１４及び第２開封線１５からなる初期開封機構１６を形成する（初期開封機構形成工程）。
【００６４】
次いで、前記一実施形態と全く同様な係止手段又はシール手段形成工程、内容物収納部形成工程及び分断工程が行われて、個別の包装用袋１０を順次形成する。
【００６５】
このような本発明の初期開封容易な包装用袋の製造方法によれば、初期開封機構形成手段本体２０／３１に対向して設けられた第１及び第２ヒーター線２４、２５／２４’、２５’を前面及び後面袋シート１１Ａ、１１Ｂの両内面／外面にそれぞれ当接して押圧しながら適宜時間通電して加熱された第１及び第２ヒーター線２４、２５／２４’、２５’に沿って当接した前面及び後面袋シート１１Ａ、１１Ｂの両内面／外面被加熱部分がそれぞれ軟化して切裂き容易な適宜深さの凹溝状の任意の２次元形状線が刻印された１対の第１及び第２開封線１４、１５からなる初期開封機構１６が容易に、かつ自由度のある任意の２次元形状に形成された初期開封容易な包装用袋１０を低コストで大量に製造することができる。
【実施例２】
【００６６】
図７は、本発明の別の実施形態（実施例２）の初期開封容易な包装用袋１０Ａの概念を示す正面図である。
【００６７】
実施例２の初期開封容易な包装用袋１０Ａは、実施例１の包装用袋１０に対して、初期開封機構１６Ａの配置形状が異なるだけで、他は実施例１と全く同様の構成である。従ってここで、実施例１と同様な機能を有する構成部材には一部形状が若干異なっていても同一の符号を付してある。
【００６８】
実施例２の初期開封機構１６Ａは、第１及び第２開封線１４Ａ、１５Ａが、図７に示すように、それぞれ凹溝状の傾斜線部１４Ａａ、１５Ａａ及び略水平線部１４Ａｂ、１５Ａｂからなる折れ線状で、袋シート１１面内方向に片端側部分の略水平線部１４Ａｂ、１５Ａｂが共に略重なり、他端側部分の傾斜線部１４Ａａ、１５Ａａが相互に離隔して投影される配置状態に形成される。
【００６９】
このため、実施例２の初期開封容易な包装用袋１０Ａは、第１及び第２開封線１４Ａ、１５Ａ部の重なり合う略水平線部１４Ａｂ、１５Ａｂの片端側部分から前面及び後面袋シート１１Ａ、１１Ｂを同時に容易に引き裂くことができるとともに、破断後の他端側部分の相互にシート面方向に離隔する傾斜線部１４Ａａ、１５Ａａの段差部の片方を押さえて他方を引き出すか又は指先等を挿入する等の手段で容易かつ迅速に内容物収納部１１ａを開封することができるなど利便性が向上する。
【実施例３】
【００７０】
図８は本発明のまた別の実施形態（実施例３）の初期開封容易な包装用袋１０Ｂの概念を示す正面図である。
【００７１】
実施例３の初期開封容易な包装用袋１０Ｂは、実施例１の包装用袋１０に対して、初期開封機構１６Ｂの形状及び配置が異なるだけで、他は実施例１と全く同様の構成である。従ってここで、実施例１と同様な機能を有する構成部材には一部形状が若干異なっていても同一の符号を付してある。
【００７２】
実施例３の初期開封機構１６Ｂは、第１及び第２開封線１４Ｂ、１５Ｂが、図８に示すように、それぞれ凸、凹状の曲線で、袋シート１１面内方向に両端側部分が共に略重なり、中間部分が相互に離隔して投影される配置状態に形成される。
【００７３】
このため、実施例３の初期開封容易な包装用袋１０Ｂは、第１及び第２開封線１４Ｂ、１５Ｂ部の略重なり合う両端側部分のいずれからも前面及び後面袋シート１１Ａ、１１Ｂを同時に容易に引き裂くことができるとともに、破断後の中間部分の相互に袋シート１１面方向に離隔する第１及び第２開封線１４Ｂ、１５Ｂ部の段差部の片方を押さえて他方を引き出すか又は指先等を挿入する等の手段で容易かつ迅速に内容物収納部１１ａを開封することができるなど利便性がさらに向上する。
【実施例４】
【００７４】
図９は本発明のさらに別の実施形態（実施例４）の初期開封容易な包装用袋１０Ｃの概念を示す正面図である。
【００７５】
実施例４の初期開封容易な包装用袋１０Ｃは、実施例１の包装用袋１０に対して、初期開封機構１６Ｃの形状及び配置が異なるだけで、他は実施例１と全く同様の構成である。従ってここで、実施例１と同様な機能を有する構成部材には一部形状が若干異なっていても同一の符号を付してある。
【００７６】
実施例４の初期開封機構１６Ｃは、第１及び第２開封線１４Ｃ、１５Ｃが、図９に示すように、それぞれ略等ピッチの山谷を有する波線で、袋シート１１の幅方向に沿って相対的に１ピッチずれて袋シート１１面内方向に両端側部分が共に略重なり、中間部分の両者の山谷が相互に対称的に離隔して投影される配置状態に形成される。
【００７７】
このため、実施例４の初期開封容易な包装用袋１０Ｃは、第１及び第２開封線１４Ｃ、１５Ｃ部の略重なり合う両端側部分のいずれからも前面及び後面袋シート１１Ａ、１１Ｂを同時に容易に引き裂くことができるとともに、破断後の中間部分の相互に袋シート１１面方向に離隔する第１及び第２開封線１４Ｃ、１５Ｃの山谷段差部の片方を押さえて他方を引き出すか又は指先等を挿入する等の手段で容易かつ迅速に内容物収納部１１ａを開封することができるなど利便性がさらに向上する。
【００７８】
以上に記した種々の実施形態の他に、各部材、係止手段又はシール手段１３や初期開封機構１６、１６Ａ〜１６Ｃ等の形状、寸法及び材質は任意に変更することができる。例えば、本発明は、図示しないが、係止手段又はシール手段１３のない単純な包装用袋にも適用することができる。
【符号の説明】
【００７９】
１０、１０Ａ、１０Ｂ、１０Ｃ  （初期開封容易な）包装用袋
１１      袋シート
１１Ａ    前面袋シート
１１Ｂ    後面袋シート
１１ａ    内容物収納部
１１ｂ    切り取り部
１２      固定部
１３      係止手段又はシール手段
１４、１４Ａ、１４Ｂ、１４Ｃ  第１開封線
１４ａ、１４Ａａ、１５ａ、１５Ａａ  傾斜線部
１４ｂ、１４Ａｂ、１５ｂ、１５Ａｂ  略水平線部
１４ｃ    外面係合部（鋸歯）
１５、１５Ａ、１５Ｂ、１５Ｃ  第２開封線
１６、１６Ａ、１６Ｂ、１６Ｃ  初期開封機構
２０、３１  初期開封機構製造手段本体
２１      略矩形板状部材
２２      電源線
２２ａ    端子
２４、２４’  第１ヒーター線
２４ａ、２５ａ  傾斜線部
２４ｂ、２５ｂ  略水平線部
２５、２５’  第２ヒーター線
３０      押圧手段
３１Ａ    第１押圧板
３１Ｂ    第２押圧板
４０  当て板
【図１】
0005590435.tif 000002
【図２】
0005590435.tif 000003
【図３】
0005590435.tif 000004
【図４】
0005590435.tif 000005
【図５】
0005590435.tif 000006
【図６】
0005590435.tif 000007
【図７】
0005590435.tif 000008
【図８】
0005590435.tif 000009
【図９】
0005590435.tif 000010
【図１０】
0005590435.tif 000011
【図１１】
0005590435.tif 000012
【図１２】
0005590435.tif 000013
【図１３】
0005590435.tif 000014
【図１４】
0005590435.tif 000015
【図１５】
0005590435.tif 000016